(57)【要約】      （修正有）【課題】ナットの摩耗時に交換可能とし、高価な台座本体はそのまま継続使用できるようにして、工事コストの軽減を図れるようにした、コンクリートスラブくり抜き装置の台座を提供する。【解決手段】台座１の四隅において、上下に貫通する竪孔９の内周部に、多角型水平断面を有するナット部材10の外周部を受ける受面が形成されており、同受面に係合するように上方から挿入されたナット部材10に、コンクリートスラブに係合するための止めボルト８が螺合している。そして、ナット部材10の上方への抜け止め手段としてスナップリング等が設けられる。ナット部材10は摩耗した場合に交換することができる。【選択図】図２
2006116739.tif 000002
【特許請求の範囲】
【請求項１】
コンクリートスラブくり抜き用コアビットを回転可能に且つ上下方向に移動可能に支持する柱状体を立設固定するための方型台座において、同台座の四隅にそれぞれ上下に貫通する竪孔をそなえ、同竪孔の内周部に、多角型水平断面を有するナット外周部受面が形成されるとともに、上記ナット外周部受面に嵌合して上記竪孔に挿入された止めボルト螺合用ナット部材と、同ナット部材の軸方向への逸脱を阻止しうるナット抜け止め手段とが設けられていることを特徴とする、コンクリートスラブくり抜き装置の台座。
【請求項２】
上記ナット外周部受面が、六角型水平断面を有していることを特徴とする、請求項１に記載のコンクリートスラブくり抜き装置の台座。
【請求項３】
上記ナット抜け止め手段が、スナップリングとして形成されて、上記竪孔の端部内周面に沿う円周溝に嵌合していることを特徴とする、請求項１または２に記載のコンクリートスラブくり抜き装置の台座。
【請求項４】
上記ナット抜け止め手段が、キーとして形成されて、上記竪孔の端部内周面と上記ナット部材の端部外周面との間のキー溝に打ち込まれていることを特徴とする、請求項１または２に記載のコンクリートスラブくり抜き装置の台座。
【発明の詳細な説明】
【技術分野】
【０００１】
本発明は、建造物のコンクリート製床部のごときコンクリートスラブについて、コアビットの回転により円形の貫通孔を形成するための装置に関し、特に同装置におけるコアビット昇降用柱状体を支えるための台座に関する。
【背景技術】
【０００２】
一般に、コンクリートスラブくり抜き装置としては図１（斜視図）に示すようなものがあり、方形の台座１に立設された柱状体２に案内されて昇降しうる枠体３が設けられるとともに、同枠体３に支持された竪型のモーター４により鉛直軸線を中心として回動しうる円筒状のコアビット５が設けられていて、同コアビット５は、その周壁下縁に沿ってダイヤモンド粉末入りカッター部５ａを備えている。
そして、枠体３の昇降操作は、柱状体２の一側に沿って上下方向に設けられたラック６に噛み合う図示しないピニオンの水平支軸を、同支軸に直交するグリップ７ａ付き棒状ハンドル７の操作により回転させるようにして行われ、通常はハンドル７を時計回りに回転操作することによって枠体３を下降させうる構成が採用されている。
【０００３】
このような装置を用いてコンクリートスラブＳに円孔をくり抜く際には、予め方形の台座１の四隅を、コンクリートスラブＳに形成した取付け孔に止めボルト８を用いて強固に装着固定しておくか、または台座１の中央部を図示しないアンカーを用いてコンクリートスラブＳに取り付けるとともに、各止めボルト８の下端をコンクリートスラブＳの上面に係合させておく必要があり、このため台座１の四隅には止めボルト８に螺合しうる雌ねじ孔が形成されている。
【０００４】
ところで、上述のようなコンクリートスラブくり抜き装置は、建設中のビルの工事現場で風雨や砂塵などを受けながら苛酷な状況で用いられることが多く、このため台座１の四隅における雌ねじ孔が摩耗して使用できなくなるという不具合がある。
そして、上記雌ねじ孔が使用できなくなると、厚肉構造で高価な台座１全体を交換しなければならず、工事のコスト上昇を招くことになる。
【特許文献１】特開平１１−０９０９２２号公報
【発明の開示】
【発明が解決しようとする課題】
【０００５】
本発明は、前述のようなコンクリートスラブくり抜き装置における台座の取付け構造の改善を図ろうとするもので、上記台座の四隅における雌ねじ孔の部分を嵌込み式のナットで形成して、同ナットの摩耗時に交換可能とすることにより、高価な台座本体はそのまま継続使用できるようにして、工事コストの軽減を図れるようにした、コンクリートスラブくり抜き装置の台座を提供することを課題とする。
【課題を解決するための手段】
【０００６】
前述の課題を解決するため、本発明のコンクリートスラブくり抜き装置の台座は、  コンクリートスラブくり抜き用コアビットを回転可能に且つ上下方向に移動可能に支持する柱状体を立設固定するための方型台座において、同台座の四隅にそれぞれ上下に貫通する竪孔をそなえ、同竪孔の内周部に、多角型水平断面を有するナット外周部受面が形成されるとともに、上記ナット外周部受面に嵌合して上記竪孔に挿入された止めボルト螺合用ナット部材と、同ナット部材の軸方向への逸脱を阻止しうるナット抜け止め手段とが設けられていることを特徴としている。
【０００７】
また、本発明のコンクリートスラブくり抜き装置の台座は、上記ナット外周部受面が、六角型水平断面を有していることを特徴としている。
【０００８】
さらに、本発明のコンクリートスラブくり抜き装置の台座は、上記ナット抜け止め手段が、スナップリングとして形成されて、上記竪孔の端部内周面に沿う円周溝に嵌合していることを特徴としている。
【０００９】
また、本発明のコンクリートスラブくり抜き装置の台座は、上記ナット抜け止め手段が、キーとして形成されて、上記竪孔の端部内周面と上記ナット部材の端部外周面との間のキー溝に打ち込まれていることを特徴としている。
【発明の効果】
【００１０】
上述の本発明のコンクリートスラブくり抜き装置の台座では、同台座をコンクリートスラブの上面に据え付ける際に、予めコンクリートスラブを貫通するようにドリルで形成しておいたボルト挿通孔に、上記台座の四隅の各隅部におけるナット部材に螺合する止めボルトを挿通させて、上記コンクリートスラブの下面側から上記止めボルトの下端部に螺合するナットを締め付けるか、または台座をアンカーでコンクリートスラブに取り付けるとともに、上記止めボルトの下端をコンクリートスラブの上面に係合させる操作が行われる。
このようにしてコンクリートスラブ上に台座が固定された後、同台座に装着立設された柱状体に沿い回転しながら降下しうるコアビット下端周縁部のカッター部により、コンクリートスラブに円孔をくり抜く操作が行われるが、作業中に生じる激しい振動などにより、上記の止めボルトを螺合させた台座四隅のナット部材は摩耗を起こしやすい。
従来の装置では、上記の台座の四隅に、上記止めボルトを螺合させるための雌ねじ孔が直接設けられていたため、同雌ねじ孔に損傷を生じた場合は上記台座全体を交換する必要があったが、本発明の台座では同台座の四隅に着脱可能に設けられたナット部材の交換により、台座本体は引き続き使用できるという利点が得られる。
【００１１】
そして、上記ナット部材の交換に際しては、同ナット部材の軸方向への逸脱を阻止しうるように同ナット部材を抑えていた抜け止め手段の脱着により、交換作業が著しく簡便に行われるようになる。
【００１２】
また、上記ナット部材は台座本体から独立した部材として組み立てられるので、同ナット部材の材質を台座本体よりも硬質のものとして長持ちできるように構成することができる。
【００１３】
さらに、上記台座四隅の竪孔に形成されるナット外周部受面が六角型水平断面を有している場合は、上記ナット部材として市販の安価な汎用品を利用することができる。
【００１４】
また、上記ナット部材のための抜け止め手段が、スナップリングとして形成されて、上記ナット部材の挿入される竪孔の端部内周面に沿う円周溝に嵌合する構成にすると、同スナップリングの外径を調整しうる市販の工具を用いて、同スナップリングの着脱を簡便に行うことができ、これにより上記ナット部材の交換作業が能率よく迅速に行われるようになる。
【００１５】
そして、上記ナット抜け止め手段が、キーとして上記竪孔の端部内周面と上記ナット部材の端部外周面との間のキー溝に打ち込まれる場合も、上記ナット部材の交換作業を簡便に行うことが可能になる。
【発明を実施するための最良の形態】
【００１６】
図１に示すように、コンクリートスラブＳをくり抜くためのコアビット５を回転可能に且つ上下方向に移動可能に支持する柱状体２は、台座１を介してコンクリートスラブＳ上に強固に且つ安定よく立設されなければならないので、台座１は厚肉ブロック状の鋳物として頑丈に形成されるが、可搬式のものであるためアルミ材により軽量化が図られている。本発明の台座では、その四隅に形成される竪孔に挿入されるナット部材は、摩耗防止のため鋼材などの強靭な材質で形成される。
【実施例】
【００１７】
図２に示すように、コンクリートスラブＳ上に載置固定されるコンクリートスラブくり抜き装置の台座１は、平面視でほぼ方形の形状を有し、図１に示すコアビット５を回転可能に且つ上下方向に移動可能に支持する柱状体２を立設固定するための凹型水平断面を具えた受部を、図２に示す背壁１ｃおよび左右の両側壁１ｂ，１ｂによって形成されている。
そして、柱状体２の固定は、両側壁１ｂ，１ｂに形成された雌ねじ孔１ｄを介し、ボルト締めによって行われる。
【００１８】
台座１の四隅の各隅部１ａには、図２および図３に示すように、それぞれ上下に貫通する竪孔９が形成されて、同竪孔９の内周部には、多角型水平断面（本実施例では六角型水平断面）を有するナット外周部受面９ｎと、段部型のナット下端周縁受け部９ａとが形成されている。
【００１９】
また、ナット外周部受面９ｎに嵌合してナット下端周縁受け部９ａに支持されるように竪孔９に上方から挿入された止めボルト８螺合用ナット部材10（図３，図４参照）が設けられるとともに、同ナット部材10の上方への逸脱を阻止しうるように、竪孔９の上部内周縁に形成された内周溝９ｂに係合しうる抜け止め手段としてのスナップリング11（図３，図５参照）が設けられている。
【００２０】
なお、スナップリング11を内周溝９ｂに装填する際に同スナップリング11の縮径を行う治具としては、図７に示すような工具12が用いられ、同工具12の先端における一対の凸起部12ａがスナップリング11の先端の小孔11ａに係合するようになっている。
【００２１】
上述の構成により、本発明のコンクリートスラブくり抜き装置の台座では、台座１の四隅において、各ナット部材10の雌ねじ孔10ａに螺合する止めボルト８を、予めコンクリートスラブＳに穴あけしておいた貫通孔に挿通して、同コンクリートスラブＳの裏面側から図示しないナットを止めボルト８の下端部に螺合させ締め付ける操作を行うか、または図示しないアンカーにより台座１をコンクリートスラブＳに取り付けるとともに、各止めボルト８の下端をコンクリートスラブＳに係合させる操作が行われ、このようにして台座１のコンクリートスラブＳ上への固定が強固に行われる。
【００２２】
従来の装置では、台座１の四隅に、止めボルト８を螺合させるための雌ねじ孔が直接設けられていたため、同雌ねじ孔に損傷を生じた場合は台座全体を交換する必要があったが、本実施例の台座１では同台座１の四隅に着脱可能に設けられたナット部材10の交換により、台座本体は引き続き使用できるという利点が得られる。
【００２３】
そして、ナット部材10の交換に際しては、同ナット部材10の上面を抑えていたナット抜け止め手段としてのスナップリング11の脱着により、交換作業が著しく簡便に行われるようになる。
【００２４】
また、ナット部材10は台座本体から独立した部材として組み立てられるので、同ナット部材10の材質を台座１の本体よりも硬質のものとして長持ちできるように構成することができる。
【００２５】
さらに、台座四隅の竪孔９に形成されるナット外周部受面９ｎが六角型水平断面を有している場合は、ナット部材10として市販の安価な汎用品を利用することができる。
【００２６】
また、ナット部材10のための抜け止め部材が、スナップリング11として形成されて、ナット部材10の挿入される竪孔９の上部内周面に沿う円周溝９ｂに嵌合する構成にすると、同スナップリング11の外径を調整しうる市販の工具12を用いて、同スナップリング11の着脱を簡便に行うことができ、これによりナット部材10の交換作業が能率よく行われるようになる。
【００２７】
図６は図３に対応させて本発明の他の実施例を示すもので、抜け止め部材としてのスナップリング11の代わりにキー11ｋが用いられる場合を示しており、竪孔９の上部内周面とナット部材10の上部外周面との間のキー溝にキー11ｋが打ち込まれるようになっている。この場合も、キー11ｋの脱着によりナット部材10の交換作業を簡便に行うことが可能になる。
【００２８】
なお、上述の実施例では、ナット部材10の軸方向への抜け止め手段として、スナップリング11またはキー11ｋが竪孔９の上部に設けられているが、このようなナット抜け止め手段を竪孔９の下部に設けるようにしてもよく、その場合は、ナット上端周縁受け部が竪孔９の上部に設けられる。
【産業上の利用可能性】
【００２９】
本発明のコンクリートスラブくり抜き装置の台座は、建造物のコンクリート製床部のみならず、同建造物のコンクリート製の壁部にエアコン用ダクトを貫通させるような場合にも、同壁部のコンクリートスラブくり抜きのために使用することができる。
【図面の簡単な説明】
【００３０】
【図１】一般的なコンクリートスラブくり抜き装置の正面図である。
【図２】本発明の一実施例としてのコンクリートスラブくり抜き装置の台座の斜視図である。
【図３】図２のＡ−Ａ矢視断面図である。
【図４】上記台座におけるナット部材を抜き出して示す斜視図である。
【図５】上記ナット部材の抜け止め用スナップリングの平面図である。
【図６】図３に対応させて本発明の他の実施例を示す要部断面図である。
【図７】図５のスナップリングを操作するための工具を示す斜視図である。
【符号の説明】
【００３１】
１  台座
１ａ  隅部
１ｂ  側壁
１ｃ  背壁
１ｄ  雌ねじ孔
２  柱状体
３  枠体
４  モーター
５  コアビット
５ａ  カッター部
６  ラック
７  ハンドル
７ａ  グリップ
８  止めボルト
９  竪孔
９ａ  ナット下端周縁受け部
９ｂ  内周溝
９ｎ  ナット外周部受面
10  ナット部材
10ａ  雌ねじ孔
11 スナップリング
11ａ  小孔
11ｋ  キー
12  スナップリング用工具
12ａ  凸起部
Ｓ  コンクリートスラブ
【図１】
2006116739.tif 000003
【図２】
2006116739.tif 000004
【図３】
2006116739.tif 000005
【図４】
2006116739.tif 000006
【図５】
2006116739.tif 000007
【図６】
2006116739.tif 000008
【図７】
2006116739.tif 000009